(57)【要約】【課題】  業務用の用途を含めて、常時の据置点灯使用と任意の可搬点灯使用を選択できる非常時対応可能の可搬蓄電照明装置を提供する。【解決手段】  ボックス１にリチウムイオン電池２を収納して、ＬＥＤモジュール８３を一次光源とする一対の面照明ライト８を配置するとともにメインスイッチ４、調光ツマミ５を配置し且つＡＣ１００Ｖ、太陽電池用の充電端子３、シガーソケット、ＵＳＢ端子等の出力端子６を配置し、手持ち用のハンドル９を付したものとする。重量を７ｋｇ以下、単一の面照明ライト８の１ｍ離隔位置の最大照度を９０ｌｕｘ、平均照度２５ｌｕｘ以上、単一の面照明ライト８の連続点灯時間を１５時間以上として、非常時の可搬使用に耐えるようにする。【選択図】  図１
2013008553.tif 000002
【特許請求の範囲】
【請求項１】
矩形又は方形のボックスと、該ボックスに収納した二次電池と、該二次電池にＡＣ１００Ｖ電源又は該電源及び太陽電池からそれぞれ充電を行うようにボックスに配置した充電端子と、点灯制御回路によって停電時に点灯するようにコード接続してボックスに着脱自在に配置した単一又は一対のバー状に形成したＬＥＤモジュールを一次光源とする面照明ライトと、該面照明ライトの点灯と消灯を行うメインスイッチ又は該メインスイッチと点灯時の面照明ライトの発光輝度調整用の調光ツマミを備え且つ総重量を７ｋｇ以下、単一の面照明ライトの１ｍ離隔位置の最大照度を９０ｌｕｘ、平均照度２５ｌｕｘ以上、二次電池による単一の面照明ライトの連続点灯時間を１５時間以上とし且つ上記ボックスに手持ち用のハンドル又は肩掛けベルトを配置することによって常時の据置点灯使用と任意の可搬点灯使用を選択自在としてなることを特徴とする非常時対応可能の可搬蓄電照明装置。
【請求項２】
上記面照明ライトを一対備えるとともにその上記ボックスに接続した各コード長さを０．５ｍ以上としてなることを特徴とする請求項１に記載の非常時対応可能の可搬蓄電照明装置。
【請求項３】
ボックスに、直流電流を供給自在とする単一乃至複数の出力端子を配置してなることを特徴とする請求項１又は２に記載の非常時対応可能の可搬蓄電照明装置。
【請求項４】
上記ボックスに対する面照明ランプの着脱自在の配置を、ボックスと面照明ランプ間に配置したマグネット又はフックとフック受けを用いることによって着脱をワンタッチで可能としてなることを特徴とする請求項１、２又は３に記載の非常時対応可能の可搬蓄電照明装置。
【発明の詳細な説明】
【技術分野】
【０００１】
本発明は、常時の据置点灯と任意の可搬点灯を自在として、平時及び非常時に有効な照明をなし得るようにした非常時対応可能の可搬蓄電照明装置に関する。
【背景技術】
【０００２】
この種の照明装置として、本発明者等は、下記特許文献１の照明装置を提案済みであり、これによると、ＬＥＤモジュールを導光板の入射端面に臨設して、該導光板に入射光を供給して、導光板背面の入射端面から離隔方向に向けて高密度化するように密度変調した、例えばドットパタンとした導光パタンによって面照明を行うようにして、これらを二次電池とともに密封ケースに収容したコンパクトな懐中電灯型のハンディなものとされ、このとき該照明装置は細幅の常夜灯照明と、点灯制御回路によって停電時に点灯するやや太幅にして非常用照明を行う一対の面照明体を隣接して重合するように配置したものとされる。
【先行技術文献】
【特許文献】
【０００３】
【特許文献１】特開２００９−２３８７３３号
【発明の概要】
【発明が解決しようとする課題】
【０００４】
この場合、面照明装置は、上記コンパクトの懐中電灯型のものとされるから、例えば夜間に避難するときに持参する如くに、懐中電灯のスポット照明を面照明としたものとして、懐中電灯の代替照明として使用することが可能であるが、その実際の照度は１ルックス程度であり、フル充電状態の点灯時間も０．５時間程度であり、従って、上記避難に用いるには有効であるとしても、避難以外の用途、特に業務用の用途に使用するには適当とはいえない。
【０００５】
即ち、照明装置の機能として、一般の生活に支障のないことはもとより、業務用途の使用に特段の支障のない充分な照度及び点灯時間を確保することが望まれるところであり、例えば、避難後の避難所、災害時の病院での入院患者の看病等のための照明、百貨店のような大型店舗における顧客誘導避難のための照明、電源使用不能の展示場における展示商品の照明の如くに、照度、点灯時間、必要時の可搬性等を備えて、これらの用途に耐えられる照明装置の出現が待たれる状況にある。
【０００６】
本発明はかかる事情に鑑みてなされたもので、その解決課題とするところは、照度、点灯時間等において業務用途を含めて各種用途の使用に適し、常時の据置点灯使用と任意の可搬点灯使用を選択自在とした非常時対応可能の可搬蓄電照明装置を提供するにある。
【課題を解決するための手段】
【０００７】
上記課題に沿って本発明は、照明装置をボックスとして形成し、これに高発光輝度の単一又は一対のバー状形成の面照明ライトをコード接続下で着脱自在に配置する一方、ボックス内に、例えばリチウムイオン系二次電池の如き二次電池を収納し、ＡＣ１００Ｖに接続することによって該二次電池の常時充電と該ＡＣ１００Ｖによる面照明ライトの常時点灯を可能とする一方、点灯制御回路の停電検知によって面照明ライトの二次電池点灯を行うようにするとともに可搬の照明装置として総重量を人の容易な持ち運びを可能とするように７ｋｇ以下に規制し、面照明ライトの１ｍ離隔位置の最大照度を９０ｌｕｘ、平均照度２５ｌｕｘ以上、連続点灯時間を１５時間以上とすることによって、上記業務を含めた各種用途の使用に適し且つ選択的に常時の据置点灯使用と任意の可搬点灯使用、即ち搬送点灯使用を自在とした非常時対応可能の可搬蓄電照明装置としたものであって、即ち、請求項１に記載の発明を、矩形又は方形のボックスと、該ボックスに収納した二次電池と、該二次電池にＡＣ１００Ｖ電源又は該電源及び太陽電池からそれぞれ充電を行うようにボックスに配置した充電端子と、点灯制御回路によって停電時に点灯するようにコード接続してボックスに着脱自在に配置した単一又は一対のバー状に形成したＬＥＤモジュールを一次光源とする面照明ライトと、該面照明ライトの点灯と消灯を行うメインスイッチ又は該メインスイッチと点灯時の面照明ライトの発光輝度調整用の調光ツマミを備え且つ総重量を７ｋｇ以下、単一の面照明ライトの１ｍ離隔位置の最大照度を９０ｌｕｘ、平均照度２５ｌｕｘ以上、二次電池による単一の面照明ライトの連続点灯時間を１５時間以上とし且つ上記ボックスに手持ち用のハンドル又は肩掛けベルトを配置することによって常時の据置点灯使用と任意の可搬点灯使用を選択自在としてなることを特徴とする非常時対応可能の可搬蓄電照明装置としたものである。
【０００８】
請求項２に記載の発明は、上記に加えて、面照明ライトを一対備え且つ各コード長さを０．５ｍ以上とすることによって、可搬点灯使用に際して、例えば大規模店舗での顧客誘導避難において、一対の面照明ライトの一方を顧客足下を照らし、他の一方を誘導者足下を照らすように用いる等、可搬点灯に際して面照明ライトを手持ちして照明を行うに適するようにして、業務用途を含めて使い勝手を向上し得るものとするように、これを、上記面照明ライトを一対備えるとともにその上記ボックスに接続した各コード長さを０．５ｍ以上としてなることを特徴とする請求項１に記載の非常時対応可能の可搬蓄電照明装置としたものである。
【０００９】
請求項３に記載の発明は、同じく上記に加えて、例えばインバータ使用によって家電機器の作動を行うようにＤＣ１２Ｖのシガーソケット、携帯電話等の充電を行うようにＤＣ５ＶのＵＳＢ端子の如くに、直流電流供給用の出力端子を配置して、非常時対応適応性を向上し得るものとするように、これを、ボックスに、直流電流を供給自在とする単一乃至複数の出力端子を配置してなることを特徴とする請求項１又は２に記載の非常時対応可能の可搬蓄電照明装置としたものである。
【００１０】
請求項４に記載の発明は、同じく上記に加えて、非常時の面照明ランプのボックスへの着脱を可及的簡易且つ確実に行って使い勝手を向上し得るものとするように、これを、上記ボックスに対する面照明ランプの着脱自在の配置を、ボックスと面照明ランプ間に配置したマグネット又はフックとフック受けを用いることによって着脱をワンタッチで可能としてなることを特徴とする請求項１、２又は３に記載の非常時対応可能の可搬蓄電照明装置としたものである。
【００１１】
本発明はこれらをそれぞれ発明の要旨として、上記課題解決の手段としたものである。
【発明の効果】
【００１２】
本発明は以上のとおりに構成したから、請求項１に記載の発明は、照明装置をボックスとして形成し、これに高発光輝度の単一又は一対のバー状形成の面照明ライトをコード接続下で着脱自在に配置する一方、ボックス内に、例えばリチウムイオン系二次電池の如き二次電池を収納し、ＡＣ１００Ｖに接続することによって該二次電池の常時充電と該ＡＣ１００Ｖによる面照明ライトの常時点灯を可能とする一方、点灯制御回路の停電検知によって面照明ライトの二次電池点灯を行うようにするとともに可搬の照明装置として総重量を人の容易な持ち運びを可能とするように７ｋｇ以下に規制し、面照明ライトの１ｍ離隔位置の最大照度を９０ｌｕｘ、平均照度２５ｌｕｘ以上、連続点灯時間を１５時間以上とすることによって、上記業務を含めた各種用途の使用に適し且つ選択的に常時の据置点灯使用と任意の可搬点灯使用を自在とした非常時対応可能の可搬蓄電照明装置を提供することができる。
【００１３】
請求項２に記載の発明は、上記に加えて、面照明ライトを一対備え且つ各コード長さを０．５ｍ以上とすることによって、可搬点灯使用に際して、例えば大規模店舗での顧客誘導避難において、一対の面照明ライトの一方を顧客足下を照らし、他の一方を誘導者足下を照らすように用いる等、可搬点灯に際して面照明ライトを手持ちして照明を行うに適するようにして、業務用途を含めて使い勝手を向上し得るものとすることができる。
【００１４】
請求項３に記載の発明は、同じく上記に加えて、例えばインバータ使用によって家電機器の作動を行うようにＤＣ１２Ｖのシガーソケット、携帯電話等の充電を行うようにＤＣ５ＶのＵＳＢ端子の如くに、直流電流供給用の出力端子を配置して、非常時対応適応性を向上し得るものとすることができる。
【００１５】
請求項４に記載の発明は、同じく上記に加えて、非常時の面照明ランプのボックスへの着脱を可及的簡易且つ確実に行って使い勝手を向上し得るものとすることができる。
【図面の簡単な説明】
【００１６】
【図１】照明装置の使用状態を示す斜視図である。
【図２】照明装置の正面図である。
【図３】照明装置の一方の側面図である。
【図４】照明装置の他方の側面図である。
【図５】照明装置の平面図である。
【図６】面照明ライトの側面図である。
【図７】他の例の照明装置の正面図である。
【図８】照明装置の側面図である。
【図９】照明装置の平面図である。
【発明を実施するための形態】
【００１７】
以下図面の例に従って本発明を更に具体的に説明すれば、図１乃至図６においてＡは非常時対応可能の可搬蓄電照明装置であり、該照明装置Ａは、矩形又は方形のボックス１と、該ボックス１に収納した二次電池２と、該二次電池２にＡＣ１００Ｖ電源又は該電源及び太陽電池からそれぞれ充電を行うようにボックスに配置した充電端子３と、点灯制御回路によって停電時に点灯するようにコード接続してボックス１に着脱自在に配置した単一又は一対のバー状に形成したＬＥＤモジュール８３を一次光源とする面照明ライト８と、該面照明ライト８の点灯と消灯を行うメインスイッチ４又は該メインスイッチと点灯時の面照明ライト８の発光輝度調整用の調光ツマミ５を備え且つ総重量を７ｋｇ以下、単一の面照明ライト８の１ｍ離隔位置の最大照度を９０ｌｕｘ、平均照度２５ｌｕｘ以上、二次電池２による単一の面照明ライト８の連続点灯時間を１５時間以上とし且つ上記ボックス１の上面に手持ち用のハンドル又は肩掛けベルト、本例にあってはハンドル９を配置することによって常時の据置点灯使用と任意の可搬点灯使用を選択自在としたものとしてあり、このとき、上記面照明ライト８は、これを一対備えるとともにその上記ボックス１に接続した各コード８５長さを０．５ｍ以上としてあり、これによって照明装置Ａの業務を含めた各種用途の使い勝手を向上してある。
【００１８】
本例にあって照明装置Ａは、例えば、ボックス１の高さを３０乃至４０ｃｍ、本例にあっては３５ｃｍ程度、幅を２０乃至３０ｃｍ、本例にあっては２５ｃｍ程度、奥行を１０ｃｍ以下、本例にあっては５乃至６ｃｍ程度として、例えばアタッシュケースを縦長とした如くに、正背面において矩形をなすものとしてあり、該ボックス１は、塗装鋼板、クロム鍍金鋼板、アルミ板等の金属板又は硬質合成樹脂板を加工形成したもの、本例にあっては上記クロム鍍金鋼板によるものとし、このとき該ボックス１は、例えば表裏方向に開閉自在に形成することによって、照明装置Ａのメンテナンス用にその開閉を可能としてある。
【００１９】
ボックス１内には上記二次電池２として、例えばリチウムイオン電池、中でも蓄電能力に優れ、安全性、長寿命性を備えるとともに小型軽量化に適したリン酸鉄リチウムイオン電池を収納して、照明装置Ａを可及的高性能のものとして、業務用途を含めて汎用性を備えたものとしてある。
【００２０】
該ボックス１には、例えば上面に面照明ライト８の点灯、消灯の操作用のメインスイッチ４、点灯時の発光輝度、即ち照明装置としての照度を可変操作する、面照明ライト８を一対とした本例にあっては、各面照明ライト８毎の一対の調光ツマミ５、照明装置Ａの充電状態を表示する、例えば３つのＬＥＤランプによる充電レベルインジケーター７を配置し、一方の側面には、上記充電端子としてＡＣ１００Ｖの充電用コードレセプター３１を、他方の側面には、直流電流を供給自在とする単一乃至複数、本例にあっては単一の出力端子６として、例えばＤＣ１２Ｖのシガーソケット６１をそれぞれ配置してある。
【００２１】
更に該ボックス１には、これらに加えて、その上面の長手方向及び短手方向のそれぞれ中央に位置するように上記手持ち用のハンドル（把手といってもよい）９を設置してある。該ハンドル９は、照明装置Ａの重量を支持する強度を備える材質、即ち金属、硬質合成樹脂、織布帯材等を用いて、同じく重量を支持する固定強度を備えてボックス１にその長手方向両端を固定してあり、本例にあって該ハンドル９はこれを下向きコ字状の硬質合成樹脂製のものとしてある。
【００２２】
本例にあって面照明ライト８は、上記ＬＥＤモジュール（ＬＥＤバーといってもよい）８３を一次光源として、該ＬＥＤモジュール８３を図示省略の導光板の入射端面に臨設し、その入射光を該導光板によって導光して、正面配置の光拡散板８４を介して面状の照明光を供給するものとしてあり、このとき導光板は光透過性に優れた透明樹脂板、例えば厚肉のアクリル樹脂板の裏面にスクリーン印刷乃至導光板の一体成形によって配置して入射端面から離隔方向に配置密度を増変化したドット、ライン等の導光パタンを備えるとともに背面に導光性を向上する高白色度にして高反射性を呈する、例えば発泡白色樹脂、例えばポリエステル樹脂の反射板を、導光板の表面、本例にあっては口述のように正面及び両側面に、粗面化や添加剤含有によって光拡散性を付与した光拡散板８４を配置し、ライトケース８２に収納して縦長バー状に形成してある。
【００２３】
本例にあって、該面照明ライト８は、上記ライトケース８２を、長さ、幅を、上記照明装置Ａのボックス１側面に合せて、これより幾分小さめのものとし、また、奥行を可及的に薄く形成することによって、上記ボックス１側面に着脱自在に配置して、上記縦長バー状の形状と相俟って良好な納まりと使い勝手を可及的に確保したものとしてあり、本例にあって長さを３０乃至３５ｃｍ、本例にあっては３０ｃｍ、幅を５乃至６ｃｍ弱、本例にあっては４．５ｃｍ程度とし、また奥行を２ｃｍ以下、本例にあっては１．８ｃｍ程度としてあり、このとき該ライトケース８２はその重量を可及的に減少するように比重の小さい金属、例えばアルミを用いてＬＥＤモジュール発熱のヒートシンク機能を有するものとしてある。
【００２４】
このときライトケース８２は、上記厚肉の導光板の正面と、両側面の肉厚方向正面側の部分とこれを覆う光拡散板８４がＣ字状に露出するように長手方向中間を切欠き加工して形成した長寸の照明部位を備えてあり、これによって該照明部位において厚肉の導光板は、その両側面部分とともに３面の照明を行うようにして、平面の単面のみの照明に比して、暗部における照明装置乃至面照明ライト８の位置を可及的容易に視認し得るようにしてある。
【００２５】
本例の面照明ライト８は、その長手方向端部、本例にあっては下端部に、例えば光束５５０ｌｍのＬＥＤモジュール８３を配置し、導光板下端の入射端面から入射光を供給して、その導光による面照明を行うようにしてあり、このとき、ボックス１内で二次電池２に接続し且つライトケース８２内で上記ＬＥＤモジュール８３に接続したコード（リード線といってもよい）、例えばカールコード８５を、該ボックス１の各側面下部とライトケース８２の各下面間に配置し、二次電池２による面照明ライト８の照明、即ち、その導光板の面発光を行うようにしてある。上記５５０ｌｍのＬＥＤモジュール８３を用いた本例の各面照明ライト８は、その１ｍ離隔位置の最大照度を９０ｌｕｘ、平均照度２５ｌｕｘ以上、本例にあっては最大照度９８ｌｕｘ、平均照度２８ｌｕｘとし、上記二次電池２を用いることによる単一の面照明ライト８の連続点灯時間を１５時間以上、本例にあっては４０時間程度としてある。因みに、白熱電球６０Ｗの１ｍ離隔位置の最大照度は５６ｌｕｘ、平均輝度は２２ｌｕｘである。
【００２６】
照明装置Ａは、面照明ライト８の点灯制御回路を備えてあり、これによって、面照明ライト８が検知した設置場所の照度に応じて、該面照明ライト８の点灯、消灯をコントロールして、夜間に自動点灯し、昼間に自動消灯するようにしてあり、夜間の自動点灯は、例えば一対のうち一方の面照明ライト８を、調光ツマミ５設定の、例えば２Ｗ程度の照度で行うようにして、その常夜灯機能を発揮するようにしてある。
【００２７】
このとき、上記ボックス１に対する面照明ランプ８の着脱自在の配置は、これを、ボックス１と面照明ランプ８間に配置したマグネット又はフックとフック受け、本例にあってはマグネットを用いて着脱をワンタッチで可能としてあり、本例のマグネットは、例えばゴムマグネット８１として、上記ライトケース８２の裏面、即ち、ライトケース８２のボックス１との対向面に所定の長さ及び幅のものを接着することによってその配置を行ってある。
【００２８】
図７乃至図９は、他の例を示したもので、本例にあって照明装置Ａは、上記縦長の正背面において矩形をなす形状を、横長として同じく正背面において矩形をなす横長のアタッシュケースの如くに形成した例である。
【００２９】
本例の照明装置Ａは、そのボックスの高さを１５乃至２５ｃｍ、本例にあっては２０ｃｍ程度、幅を３０乃至４０ｃｍ、本例にあっては３０ｃｍ程度、奥行を１５ｃｍ以下、本例にあっては１１ｃｍ程度とし、上記アタッシュケースを横長として奥行を幾分厚くした形状をなすようにしてある。
【００３０】
このとき、該照明装置Ａは、面照明ライト８を、上記と同様に一対備えるとともにその配置を、ボックス１の正背面上部に形成した収容段部１１に収容し、該面照明ライト８の収容状態でボックス１正背面をフラット面とするようにしてある。
【００３１】
即ち、ボックス１は正背面の鋼板にプレス加工によって上記収容段部１１を、横長の断面Ｌ字状に形成し、両端を側面に開放したボックス１幅と同長のものとし、奥行を、上記面照明ライト８の寸法に合せて、例えば２ｃｍ程度のものとしてある。
【００３２】
本例にあって面照明ライト８は、その長さを該ボックス１幅と同長とした一対として、該正背面の収容段部１１にそれぞれ収容してあり、これによって該面照明ライト８を収容した状態で、照明装置Ａは正背面、側面をそれぞれ矩形を呈するものとしてある。
【００３３】
このとき、本例の照明装置Ａは、その片側の側面、本例にあっては右側面に、上記と同様にＡＣ１００Ｖの充電用コードレセプター３１、ＤＣ１２Ｖのシガーソケット６１を配置するとともに更に出力端子６としてＤＣ５ＶのＵＳＢ端子６２を配置し、太陽光発電による充電を可能とするように、充電端子３として太陽電池用の充電用コードレセプター３２を配置したものとしてあり、更に、本例にあっては照明装置Ａの二次電池２の並列接続を行うことによって照明ライト８の照明時間を延長し得るように並列接続端子６３を配置したものとしてある。また、該ボックス１の片側の側面には、その上部と上記一対とした面照明ライト８のライトケース８２の長手方向一端間に上記と同様にカールコード８５を配置してある。
【００３４】
その余は、上記例と変わらないので、同一符号を付して重複する説明を省略する。
【００３５】
以上のように形成した照明装置Ａは、それぞれその総重量を７ｋｇ以下、本例にあってはいずれも、例えば６ｋｇ程度乃至以下に規制することによって可搬性を確保したものとしてあるから、上記アタッシュケース状とした形状と相俟って、常時の据置点灯使用と任意の可搬点灯使用の双方を必要に応じて選択し得るようにしてあり、これによって、例えば、単に常夜灯として、また避難用として使用するに止まらず、避難後の避難所、災害時の病院での入院患者の看病等のための照明、百貨店のような大型店舗における顧客誘導避難のための照明、電源使用不能の展示場における展示商品の照明等の、業務用途を含めた非常時対応可能の可搬蓄電照明装置として使用することができる。そして、照明装置Ａは、ＬＥＤモジュール８３を１次光源とする面照明ライト８を使用し、またこれを一対備えたことによって、様々な場面で必要な照度を確保して、特に非常時に有効に機能するものとすることができる。照明装置Ａは、シガーソケット６１やＵＳＢ端子６２の出力端子６を備えたから、携帯電話の充電、市販のインバーター（１２０Ｗ）を用いて、ＡＣ１００Ｖの液晶ＴＶ等家電品の使用を行うこともでき、また、複数の照明装置Ａを並列接続して、二次電池２の容量を複数倍とすることもできるから、業務用の用途にあっては複数の照明装置Ａを用意して、必要に応じてその並列接続をなし得るようにすることが好ましい。
【００３６】
二次電池２をリチウムイオン電池、特に上記リン酸鉄リチウムイオン電池とした本例の照明装置Ａにあって、面照明ライト８の点灯は、これを夜間２日乃至４日間程度に亘って行うことができる。実験によれば一対の面照明ライト８を最大照度でフル点灯したときその使用時間は２０時間（夜間２日間）、照度を５０％に調光したときその使用時間は４０時間（夜間４日間）であった。家電品の使用時は長時間とすることは困難であるが、単一の面照明ライト８をフル点灯し、液晶ＴＶをＯＮとしたときの使用時間は２．５時間であった。
【００３７】
照明装置Ａの充電は、搬送して用いる可搬使用以外はＡＣ１００Ｖに接続して常時行うようにすればよいが、可搬使用時は、上記太陽電池用の充電用コードレセプター３２を配置したものにあっては、市販の太陽電池によってその充電を行うことが可能であり、これによって長期停電や計画停電に相当程度対応することができる。
【００３８】
図示した例は以上のとおりとしたが、上記ボックスを方形とし又はその余の形状とすること、上記手持ち用のハンドルに代えて又はこれとともに肩掛けベルトを配置し又は該ベルトの取付金具をボックスに配置すること、上記面照明ライトを単一に備えたものとすること、上記充電端子に代えて又はこれとともにＡＣ１００Ｖの充電コードをボックスに設置すること、上記ボックスに対する面照明ランプの着脱自在の配置を、ボックスと面照明ランプ間に配置したフックとフック受けを用いたものとすること等を含めて、本発明の実施に当って、照明装置、ボックス、二次電池、充電端子、点灯制御回路、面照明ライト、コード、ＬＥＤモジュール、メインスイッチ、調光ツマミ、重量、照度、連続点灯時間、ハンドル又は肩掛けベルト、必要に応じて用いる出力端子、マグネット、フックとフック受け等の各具体的形状、構造、材質、用途、数値、これらの関係、これらに対する付加等は、上記発明の要旨に反しない限り様々な形態のものとすることができ、上記に示したものに限定するには及ばない。
【符号の説明】
【００３９】
Ａ  可搬蓄電照明装置
１  ボックス
１１  収容段部
２  二次電池
３  充電端子
３１  ＡＣ１００Ｖの充電用コードレセプター
３２  太陽電池用充電用コードレセプター
４  メインスイッチ
５  調光ツマミ
６  出力端子
６１  シガーソケット
６２  ＵＳＢ端子
６３  並列接続端子
７  充電レベルインジケーター
８  面照明ライト
８１  ゴムマグネット
８２  ライトケース
８３  ＬＥＤモジュール
８４  光拡散板
８５  コード
９  ハンドル
【図１】
2013008553.tif 000003
【図２】
2013008553.tif 000004
【図３】
2013008553.tif 000005
【図４】
2013008553.tif 000006
【図５】
2013008553.tif 000007
【図６】
2013008553.tif 000008
【図７】
2013008553.tif 000009
【図８】
2013008553.tif 000010
【図９】
2013008553.tif 000011